(57)【要約】【課題】保健師による保健指導の参加者に対して、均質な保健指導を効率的に実施するための保健指導支援用画面の表示方法を提供する。【解決手段】グラフ画面３では、保健指導期間で日毎にデータ入力エリア１１で朝体重や夜体重，歩数を入力することにより、グラフ表示エリア７で体重グラフ７ｅや歩数グラフ７ｇが表示され、１００ｋｃａｌカード表示エリア１２で選択決定されている１００ｋｃａｌカードのうちの指導する行動を実行した１００ｋｃａｌカードにチェックを入力することにより、チェックした１００ｋｃａｌカードの枚数に応じたカード達成率が、該当する日にちの日別カード達成率表示枠７ｄ１で表示される。また、イベントチェックエリア１３で実行したイベントに対応して、該当する日にちにおいて、イベントチェック表示エリア８での該当するイベントのチェック表示欄８ｂが表示される。【選択図】図５
2010086213.tif 000002
【特許請求の範囲】
【請求項１】
保健指導支援のために、該保健指導を受ける参加者の端末装置に保健指導支援用の画面を表示する方法であって、
該保健指導支援用画面は、
該参加者の保健指導を受ける行動の目標を設定するための参加者情報画面と、
該参加者情報画面で設定された該行動の目標に対し、該行動の目標を実現するための行動または食事品目メニューカードを選択・設定するための目標設定画面と、
該保健指導支援の期間内での日々測定される該参加者の体重のグラフとともに、該目標設定画面で選択・設定された行動または食事品目メニューカードに基づく目標の達成率を表示するグラフ画面
であることを特徴とする保健指導支援用画面の表示方法。
【請求項２】
請求項１において、
前記行動または食事品目メニューカードは、その行動または食事品目に係わるカロリー数を示すカードであることを特徴とする保健指導支援用画面の表示方法。
【請求項３】
請求項１または２において、
前記参加者情報画面では、参加者の予め設定された行動のカテゴリ毎に目標を選択・設定可能であって、
前記目標設定画面では、前記参加者設定画面で該予め設定されている行動のカテゴリ毎に前記行動または食事品目メニューカードが設けられており、前記参加者情報画面で選択・設定された該行動のカテゴリに対する前記行動または食事品目メニューカードの選択・設定を可能とした
ことを特徴とする保健指導支援用画面の表示方法。
【請求項４】
請求項３において、
前記目標設定画面では、
前記参加者の実際の体重と目標とする体重との入力から、前記保健指導支援期間内の１日当り減量させる減目標カロリーを求めて表示する目標カロリー算出部が設けられ、
該目標カロリー算出部で表示される１日当りの該減目標カロリーをもとに、前記行動のカテゴリ毎に前記行動または食事品目メニューカードの選択・設定を可能としたことを特徴とする保健指導支援用画面の表示方法。
【請求項５】
請求項１〜４のいずれか１つにおいて、
前記グラフ画面では、
測定日と測定した体重を入力するデータ入力エリアと、前記設定画面で選択・設定した前記行動または食事品目メニューカードのカード名が、該当する行動の目標の達成とともにチェック可能に、表示された行動または食事品目メニューカード表示エリアとが設けられているとともに、
前記参加者情報画面に予め設定されている前記行動のカテゴリが、イベントとして、該当する行動が実行されたときにチェック可能に、表示されたイベントチェックエリアが設けられ、
前記保健指導支援の期間内での日にち毎に、該行動または食事品目メニューカード表示エリアでのチェックされた前記行動または食事品目メニューカードに応じて得られたカロリー達成率が、前記体重のグラフに関連して、表示され、
かつ、前記保健指導支援の期間内での日にち毎に、該イベントチェックエリアでチェックされたイベントが、前記体重のグラフに関連して、表示される
ことを特徴とする保健指導支援用画面の表示方法。
【請求項６】
請求項５において、
前記保健指導支援の期間内での日にち毎の前記カロリー達成率は、前記体重のグラフの時間軸の該当する日にちに対し、カロリー達成率に応じて表示形態が異なる日別カード達成率表示枠で表示することを特徴とする保健指導支援用画面の表示方法。
【請求項７】
請求項１〜６のいずれか１つにおいて、
前記グラフ画面での前記参加者の体重のグラフが表示されるエリアに、前記保健指導支援の期間内での所定数の選択された日にち毎に、該選択された日にちでの目標体重を示すフラグを表示することを特徴とする保健指導支援用画面の表示方法。
【請求項８】
請求項１〜７のいずれか１つにおいて、
前記グラフ画面で前記保健指導支援の期間内での日にち毎に前記参加者による歩数を入力するエリアを設け、該歩数の入力に応じて、該日にち毎の該歩数のグラフを表示することを特徴とする保健指導支援用画面の表示方法。
【請求項９】
保健指導支援のために、保健指導を受ける参加者の端末装置に保健指導支援用の画面を表示する装置であって、
該保健指導支援用画面は、請求項１〜８のいずれか１つの保健指導支援用画面の表示方法により表示されることを特徴とする保健指導支援用画面の表示装置。
【発明の詳細な説明】
【技術分野】
【０００１】
本発明は、健康管理を支援するシステムに係り、特に、生活習慣などに起因するメタボリックシンドロームなどを改善するために指導される参加者のための保健指導支援用画面の表示方法及び装置に関する。
【背景技術】
【０００２】
近年、生活習慣病のひとつとして、内臓脂肪型肥満症（メタボリックシンドローム）が注目されている。メタボリックシンドロームは、内臓脂肪面積≧１００ｃｍ2（腹囲の場合は、男性≧８５ｃｍ、女性≧９０ｃｍ）という基準を超え、血中脂質や血圧、または、血糖値のいずれかのリスクを２つ以上有する状態を指し、動脈硬化や心疾患または脳血管疾患のリスクが高くなると言われている疾患である。
【０００３】
健診施設などでは、受診者がメタボリックシンドロームや肥満と診断されると、医師や保健師などが減量を指示する。特に、指導者（医師または保健師）が強い介入指導が必要と判断した受診者には、受診者の体重に合わせた目標体重を設定し、目標体重に向けて改善すべき生活習慣を生活改善項目として提案した減量プログラムを実施する保健指導を受けることを要請する場合がある。
【０００４】
この場合、保健指導者は、この要請を受けた受診者（以下、保健指導の参加者という）の目標体重を達するためのカロリー数の計算を行ない、目標体重へ減量するために必要な食生活や運動量に関して生活改善項目を立案して提示する。そして、保健指導の参加者は、提示された生活改善項目の実行状況と体重の変化を指導者に報告し、目標体重への減量を目指す。
【０００５】
このような減量に関する技術としては、減量を実施する者の目標体重や食事状況，運動状況に応じて、摂取エネルギーや消費エネルギーの目標値を提示したり、その目標値を満たすための食事制限や運動方法などのメニューを提示する技術が知られている（例えば、特許文献１参照）。
【特許文献１】特開２００４−２２７５２２
【発明の開示】
【発明が解決しようとする課題】
【０００６】
ところで、保健指導の参加者の目標体重を設定し、この目標体重を達するためのカロリー数を計算し、目標体重を実現するために必要な生活改善項目を保健師が提示するという方法では、保健指導者が予めいくつかの生活改善項目と、各生活改善項目毎の消費カロリーを把握し、保健指導の参加者個人に合わせてどの生活改善項目を行なうかを決定し、また、その生活改善項目の実行に対する負荷を調整する必要があり、保健師の作業負荷が大きくなるという問題があった。
【０００７】
また、保健指導者は、保健指導の参加者個人の生活パターンや嗜好に合うように、また、減量を行ない易いように、生活改善項目を設定するために、保健指導者と保健指導の参加者との間で時間をかけて対話を行なう必要がある。受診者などの保健指導の参加者は、保健指導者と対話して生活改善項目を設定するが、保健指導者が用意した（限られた）生活改善項目から改善項目を選択することとなり、必ずしも個人にあったダイエット方法とはならない場合もあった。
【０００８】
さらに、予め多くの生活改善項目を集めておき、それらの生活改善項目から参加者に合う改善項目を設定する場合には、保健指導の参加者個人に合う生活改善項目を設定することは容易ではなく、時間と手間を要するという問題があった。
【０００９】
また、上記特許文献１に記載された技術によると、食習慣や運動習慣の変化から予測体重を目標体重とすることができるが、具体的な生活改善項目を特定するのは難しい、という問題があった。
【００１０】
本発明の目的は、かかる問題を解消し、保健師や医師などの指導者による保健指導の参加者に対して、均質な保健指導を効率的に実施するための保健指導支援用画面の表示方法及び装置を提供することにある。
【課題を解決するための手段】
【００１１】
上記目的を達成するために、本発明は、保健指導支援のために、保健指導を受ける参加者の端末装置に保健指導支援用の画面を表示する方法であって、保健指導支援用画面は、参加者の保健指導を受ける行動の目標を設定するための参加者情報画面と、参加者情報画面で設定された行動の目標に対し、行動の目標を実現するための行動または食事品目メニューカードを選択・設定するための目標設定画面と、保健指導支援の期間内での日々測定される参加者の体重のグラフとともに、目標設定画面で選択・設定された行動または食事品目メニューカードに基づく目標の達成率を表示するグラフ画面であることを特徴とするものである。
【発明の効果】
【００１２】
本発明によると、グラフ画面で、参加者に関する保健指導の支援のための体重グラフとともに、この参加者が選択・設定した行動または食事品目メニューカードに基づく保健指導の目標の達成率も表示するものであるから、指導者が、参加者の保健指導の結果を把握することができて、参加者に対して均質な保健指導を効率的に実施することが可能となる。
【発明を実施するための最良の形態】
【００１３】
次に、本発明の実施形態について図面を用いて説明する。
【００１４】
図１は本発明による保健指導支援用画面の表示方法を用いる保健指導支援システムの一実施形態を示すブロック構成図であって、１００は管理者端末装置、２００は指導者端末装置、３００は参加者端末装置、４００はサーバ、５００はネットワークである。
【００１５】
同図において、この保健指導支援システムは、管理者端末装置１００，医師や保健師といった保健指導者が使用する指導者端末装置２００，保健指導の参加者（以下では、単に参加者という）が使用する参加者端末装置３００及び各種データの保管・管理やシステムの制御を行なうサーバ４００がネットワーク５００を介して接続された構成をなしている。
【００１６】
管理者端末装置１００，指導者端末装置２００及び参加者端末装置３００は夫々、プロセッサ，メモリ，通信インターフェース及びユーザインターフェースを備える計算機である。なお、これらの端末装置は、アプリケーションプログラム（例えば、ウェブブラウザ）が動作するＰＤＡや携帯電話機等の携帯端末であってもよい。
【００１７】
サーバ４００は、プロセッサ，メモリ，記憶装置及び通信インターフェースを備える計算機である。サーバ４００には、初期準備処理手段Ｍｌ，参加準備処理手段Ｍ２，参加者データ入力・閲覧処理手段Ｍ３，介入指導処理手段Ｍ４及び定期業務設定手段Ｍ５を備える。これらの各機能は、メモリに格納されたプログラムによって提供される。
【００１８】
サーバ４００の記憶装置には、指導者管理データベースＤｌ，定型文言データベースＤ２，定期業務データベースＤ３，参加者管理データベースＤ４，減量記録データベースＤ５，指導記録データベースＤ６，問診結果データベースＤ７，個人別行動目標データベースＤ８，食事カロリーデータベースＤ９，運動カロリーデータベースＤ１０，個人別減量目標データベースＤ１１及び問診情報データベースＤ１２が格納される。
【００１９】
指導者管理データベースＤｌは、この保健指導支援システムによる保健指導を実施する指導者の識別子やパスワード，氏名などの情報が格納される。
【００２０】
定型文言データベースＤ２は、この保健指導支援システムによる保健指導で用いられる定型文言の情報が格納される。
【００２１】
定期業務データベースＤ３には、この保健指導支援システムによる保健指導のための定期業務の情報（例えば、保健指導期間における参加者のデータがある条件に合致したときに実施すべき指導内容など）が格納される。
【００２２】
参加者管理データベースＤ４には、この保健指導支援システムによる参加者に関する情報（氏名，性別，生年月日，パスワード，保健指導開始時の体重など）が格納される。
【００２３】
減量記録データベースＤ５には、参加者の日々測定された体重や歩数、参加者の減量メニューの実施状況、飲み会や出張などのイベントの有無などの情報が格納される。
【００２４】
指導記録データベースＤ６には、保健指導の履歴の情報が格納される。
【００２５】
問診結果データベースＤ７には、後述する参加者情報画面２０（図７）を用いて参加者への問診によって得られた情報が格納される。
【００２６】
個人別行動目標データベースＤ８には、参加者の行動目標の情報が格納される。
【００２７】
食事カロリーデータベースＤ９には、保健指導に用いられる食事メニューの情報が格納される。
【００２８】
運動カロリーデータベースＤ１０には、保健指導に用いられる運動メニューの情報が格納される。
【００２９】
個人別減量目標データベースＤ１１には、参加者毎の減量目標の情報が格納される。
【００３０】
問診情報データベースＤ１２には、後述する参加者情報画面２０（図７）を用いた参加者が受ける問診の結果の情報が格納される。
【００３１】
図２は図１に示す保健指導支援システムによる処理の概要を示すフローチャートである。
【００３２】
まず、保健指導支援システムにおいて、参加者による自己の情報の参加者端末３００での入力を受け付け、入力された情報はサーバ４００に転送された参加者管理データベースＤ４に登録される（ステップＳ１００）。
【００３３】
次に、サーバ４００は、参加者のこの入力された情報に対応する問診情報を問診情報データベースＤ１２から抽出し、抽出された問診情報を参加者端末装置３００へ送る。参加者端末装置３００では、後述する参加者情報画面２０が問診用の画面として表示され、これによって参加者は問診を受けることになる。問診の内容は、所定のカロリー（例えば、１００ｋｃａｌ）の行動目標に関係している。行動目標は、食事カテゴリや運動カテゴリなどに関するものであり、「主食は多いか」，「酒を飲むか」，「間食をするか」などの食事のカテゴリに含まれる目標と、「毎日３０分以上歩くか」，「日常的にスポーツをするか」などの運動のカテゴリに含まれる目標とが含まれる。
【００３４】
参加者端末装置３００で問診情報に対する回答及び各問診に関係するカテゴリを目標にするかの意思が入力をされると、これがサーバ４００に転送され、問診結果データベースＤ７に登録される（ステップＳ１０１）。
【００３５】
このような保健指導では、行動目標（減量メニュー）の選択肢が多ければ、健康指導の参加者の多様なニーズに対応可能になるが、行動目標の選択に時間がかかる問題がある。そこで、この保健指導支援システムでは、カテゴリ毎に参加者の意思を保存することにし、参加者が目標にする意思を表明したカテゴリの行動目標のみを行動目標の選択範囲とすることによって、参加者が行動目標を効率良く選択できる。
【００３６】
次に、サーバ４００は、参加者管理データベースＤ４に登録された参加者の情報と問診結果データベースＤ７に登録された問診に対する回答とを参照して、その参加者に適する食事メニューを食事カロリーデータベースＤ９から選択し、その参加者に適する運動メニューを運動カロリーデータベースＤ１０から選択し、選択された食事メニュー及び運動メニューを参加者端末装置３００に送信する。
【００３７】
これらの食事カロリーデータベースＤ９に格納されている食事メニューと運動カロリーデータベースＤ１０に格納されている運動メニューは、所定のカロリー（例えば、１００ｋｃａｌ）を減らすための運動量や減らす食事量が設定されている。なお、同じ運動でも、参加者の身体的特徴（例えば、体重によって消費カロリーが変わること）から、参加者管理データベースＤ４に登録された参加者情報（例えば、参加者の保健指導開始時の体重）を参照して、所定の消費カロリー毎の運動量が計算される。
【００３８】
参加者端末装置３００は、サーバ４００からの食事メニュー及び運動メニューを、減量メニューとして、参加者に提示し、これに対する参加者からの目標体重の入力を受け付ける。
【００３９】
減量メニューの選択時には、問診結果データベースＤ７に登録された問診結果を参照し、参加者が目標にする意思を表明した（参加者が実施できる）減量メニューを選択する。また、目標体重を達成するために、１日に必要なカロリーの減少量を計算し、計算されたカロリーを満たす数の減量メニューを選択させる。
【００４０】
このような保健指導では、参加者が個別に行動目標を設定していたため、行動目標の実施状況を個別に評価する必要があった。しかし、この実施形態の保健指導支援システムでは、全参加者が一定のカロリーの共通した減量メニューに従って行動目標を設定するので、行動目標の実施を均一な尺度で評価することができ、保健指導を効率化することができ、指導者による保健指導のばらつきを抑えることができる。
【００４１】
参加者端末装置３００は、参加者による食事メニュー及び運動メニューの選択を受け付ける（図８参照）。これらの入力された目標体重、選択された食事メニュー及び選択された運動メニューによって、その参加者の減量プログラムが決定される。これらの入力された目標体重は、個人別減量目標データベースＤ１１に登録され、選択された食事メニュー及び運動メニューは、個人別行動目標データベースＤ８に登録される（ステップＳ１０２）。
【００４２】
次に、参加者端末装置３００は、参加者の日々のデータ（体重、減量メニューの実行状態，歩数など）の入力を受け付けてサーバ４００に転送し、サーバ４００では、この入力されたデータが減量記録データベースＤ５に登録される（ステップＳ１０３）。
【００４３】
次に、サーバ４００は、所定のタイミングで（例えば、所定の期間毎に繰り返して）、減量記録データベースＤ５に登録されたデータが、定期業務データベースＤ３に登録されている条件と合致するかを判定し（ステップＳ１０４）、合致する場合には、対応する指導内容を指導者端末装置２００に送信する。指導者端末装置２００は、受信した指導内容を表示する（ステップＳ１０５）。
【００４４】
次に、指導者は、表示された指導内容に基づいて、なすべきと判断した指導を実行する。この指導の実行は、指導者が、この保健指導支援システムを用いて、電子メール等の手段によってなすこともでき、指導者がこの保健指導支援システムを用いずに、電話などの手段によってなすこともできる。
【００４５】
そして、指導者端末装置２００は、指導者がなすべきと判断した指導の実行の指示を受け付け、入力された指導の実行の指示から、指導の記録を生成する。また、指導者端末装置２００は、指導者がなした指導の記録の入力を受け付ける（ステップＳ１０６）。これらの生成された及び入力された指導の記録は、指導記録データベースＤ６に登録される。なお、この保健指導支援システムを介さずに（例えば、電話又は面談によって）指導を実施した場合、指導者が指導内容を入力し、入力された指導内容を指導記録データベースＤ６に登録する。
【００４６】
この保健指導支援システムでは、保健指導の内容を一元的に管理できるので、保健指導の履歴が必要な場合に、参加者に対する指導実績を漏れなく効率的に抽出することができる。
【００４７】
次に、図１における参加者端末装置３００の表示装置での本発明による保健指導支援用画面の表示方法の一実施形態を説明する。
【００４８】
図３は図１における参加者端末装置３００の表示装置で表示される保健指導支援用画面の流れの一具体例を示すフローチャートである。
【００４９】
同図において、この参加者端末装置３００で電源オンすると、その表示画面に初期画面が表示され、その初期画面に対して保健指導支援のための所定の起動操作がなされると、その表示画面にこの参加者端末装置３００の記憶装置からログイン画面１が読み出されて表示される（ステップＳ２００）。ここで、初期画面は必ずしも必要ではなく、ログイン画面１を初期画面としてもよい。
【００５０】
ここで、図４はかかるログイン画面の一具体例を示す図であって、１はログイン画面、２は操作エリア、２ａはユーザＩＤ入力欄、２ｂはパスワード入力欄、２ｃは「ログイン」ボタン、２ｄは「キャンセル」ボタンである。
【００５１】
このログイン画面１では、ユーザＩＤ入力欄２ａとパスワード入力欄２ｂと「ログイン」ボタン２ｃと「キャンセル」ボタン２ｄとが設けられた操作エリア２が表示されており、これらに対して所定の操作がなされないときには、このログイン画面１の表示状態が継続し、「キャンセル」ボタン２ｄが操作されたときには、このログイン画面１の表示が終了して図示しない初期画面の表示に戻る（図３のステップＳ２０１）。
【００５２】
なお、このログイン画面１を含む保健指導支援用画面でのボタン操作は、マウスによるカーソル操作であってもよいし、また、表示画面がタッチパネルを有するときには、タッチ操作であってもよい。ユーザＩＤ入力欄２ａとパスワード入力欄２ｂなどの入力欄での情報の入力は、キーボードの操作によって行なわれる。
【００５３】
参加者が、かかるログイン画面１の操作エリア２でのユーザＩＤ入力欄２ａにこの参加者のユーザＩＤを入力し、パスワード入力欄２ｂにこの参加者のパスワードを入力して、「ログイン」ボタン２ｃを操作すると、サーバ４００（図１）では、入力されたこれらユーザＩＤ，パスワードが参加者管理データベースＤ４（図１）に登録されているこの参加者のユーザＩＤ，パスワードと照合され、これらが一致すると、この旨が参加者端末装置３００（図１）に通知され、個人別行動目標データベースＤ８（図１）にユーザＩＤ，パスワードと対応付けて記憶されている情報をもとに、参加者端末装置３００の表示装置にグラフ画面が表示される（図３のステップＳ２０２）。ユーザＩＤとパスワードとが入力された後、個人別行動目標データベースＤ８にこれらユーザＩＤ，パスワードに対応する情報がない場合には、図７に示す参加者情報画面２０に遷移し、参加者情報の登録を促すものとする。この参加者情報画面２０で参加者情報の登録がなされると、次のログイン時からは、図３に示すフローチャートに従って画面が遷移する。
【００５４】
ここで、図５はこのグラフ画面の一具体例を示す図であって、３はグラフ画面、４はボタン操作エリア、４ａは「参加者情報」ボタン、４ｂは「目標設定」ボタン、４ｃは「ホーム」ボタン、４ｄは「ログオフ」ボタン、５は指導者メッセージ表示エリア、６は参加者データ表示／操作エリア、７はグラフ表示エリア、７ａは体重軸、７ｂは歩数軸、７ｃは日にち軸、７ｄはカード達成率表示エリア、７ｄ1は日別カード達成率表示枠、７ｅは体重グラフ、７ｅ1は朝体重マーク、７ｅ2は夜体重マーク、７ｆは目標体重フラグ、７ｆ0は開始体重フラグ、７ｇは歩数グラフ、７ｈ1は「前へ」スクロールボタン、７ｈ2は「後ろへ」スクロールボタン、８はイベントチェック表示エリア、８ａはイベント項目、８ｂはチェック表示欄、９は解説表示エリア、９ａは体重マーク表示欄、９ｂは歩数表示欄、９ｃは開始体重フラグ表示欄、９ｄは目標体重フラグ表示欄、９ｅはカード達成率表示欄、１０は表示範囲設定／表示エリア、１０ａは期間設定／表示欄、１０ｂは単位体重設定／表示欄、１１はデータ入力エリア、１１ａは測定日入力欄、１１ｂは朝体重入力欄、１１ｃは夜体重入力欄、１１ｄは歩数入力欄、１２は１００ｋｃａｌカード表示エリア、１２ａはチェックボックス、１３はイベントチェックエリア、１３ａはチェックボックス、１４はコメント入力欄、１４ａは「コメントあり」表示、１５は目標／ビジョンテキスト表示エリア、１６は基準データ表示エリア、１７は入力ボタン、１８はキャンセルボタンである。
【００５５】
同図において、グラフ画面３は、保健指導の指導者が、参加者の健康を管理するために、この参加者を指導支援する期間（ここでは、９０日間とする）内の夫々の日にちに、参加者が体重や歩数，１００ｋｃａｌカードで決められた体重低減のための行動の目標（カロリー）を実行したかどうか，飲み会や間食といったようなイベントを行なったかどうかなどのデータの入力を行なうものである。
【００５６】
このグラフ画面３では、上側から順に、ボタン操作エリア４と指導者メッセージ表示エリア５と参加者データ表示／操作エリア６とが設けられており、指導者メッセージ表示エリア５と参加者データ表示／操作エリア６との間に目標／ビジョンテキスト表示エリア１５と基準データ表示エリア１６とが設けられている。また、参加者データ表示／操作エリア６では、グラフ表示エリア７が設けられ、このグラフ表示エリア７の下側にイベントチェック表示エリア８が設けられ、このグラフ表示エリア７の右側にデータ入力エリア１１と１００ｋｃａｌカード表示エリア１２とイベントチェックエリア１３とコメント入力欄１４とが縦方向に配列されて設けられている。
【００５７】
かかるグラフ画面３の画像情報は参加者端末装置３００（図１）の記憶装置に格納されており、ログイン画面１（図４）でのログイン操作によってこの記憶装置から読み出され、サーバ４００（図１）から提供されるデータが付加されて表示される。
【００５８】
ボタン操作エリア４には、画面に関する操作ボタンである「参加者情報」ボタン４ａや「目標設定」ボタン４ｂ，「ホーム」ボタン４ｃ，「ログオフ」ボタン４ｄが設けられている。
【００５９】
グラフ表示エリア７は、横軸を時間軸として横方向の日にち軸７ｃで表わされ、縦軸を体重軸７ａ及び歩数軸７ｂとし、体重グラフ７ｅを折線グラフで、歩数グラフ７ｇを棒グラフで表わすものである。
【００６０】
ここで、グラフ表示エリア７の左上の目標／ビジョンテキスト表示エリア１５との間に表示範囲設定／表示エリア１０が設けられており、この表示範囲設定／表示エリア１０にグラフ表示エリア７での表示期間を設定表示するための期間設定／表示欄１０ａと体重軸７ａの目盛の単位を設定表示するための単位体重設定／表示欄１０ｂとが設けられている。保健師が参加者を指導支援する期間を９０日とすると、グラフ表示エリア７に体重グラフ７ｅ，歩数グラフ７ｇが表示される期間（グラフ表示期間）としては、期間設定／表示欄１０ａを操作することにより、例えば、１０日間，３０日間，６０日間，９０日間（＝指導支援する全期間）というように、変更することができる。ここでは、このグラフ表示期間を１０日間としている。
【００６１】
日にち軸７ｃの下側には、この日にち軸７ｃでの各日にち毎に設けられた日別カード達成率表示枠７ｄ1からなるカード達成率表示エリア７ｄが設けられている。ここで、１００ｋｃａｌカード表示エリア１２には、後述するように、選択・設定された１００ｋｃａｌカードが表示されているが、かかる１００ｋｃａｌカードには夫々、後述するように、体重低減という目標を達成するために、１００ｋｃａｌのカロリーを低減するための行動が示されている。１００ｋｃａｌカード表示エリア１２に表示される１００ｋｃａｌカードに示される行動を１日に一部または全て実行することにより、１日に必要な体重の低減のための目標とするカロリーが消費されたことになり、保健指導の目標の行動の達成率は、行動が実行された１００ｋｃａｌカードの枚数に応じたものとなる。かかる保健指導の目標の行動の達成率がカード達成率で表わされるものであって、かかる１００ｋｃａｌカードで指定する行動を実行することによるカロリーの消費量の達成を、かかる行為を実行したカードの枚数によって表わしたものである。
【００６２】
日別カード達成率表示枠７ｄ1は、その日の１００ｋｃａｌカードで指定される行動による目標達成率としてのカード達成率に応じた色で色付けられている。なお、ここでは、日別カード達成率表示枠７ｄ1には、その日のカード達成率に応じて大きさが異なる星印マークも表示されている。
【００６３】
参加者は、９０日間毎日、データ入力エリア１１において、その日の年月日や指導支援を受けてから何日目かを測定日入力欄１１ａに入力し、その日の朝の体重を測定して朝体重入力欄１１ｂに、夜の体重を測定して夜体重入力欄１１ｃに夫々入力することが要求され、また、その日の歩数を計測して歩数入力欄１１ｄに入力することが要求される。そして、このようなデータが入力されると、グラフ表示エリア７において、データ入力エリア１１の測定日入力欄１１ａに入力された日にちに該当する日にち軸７ｃでの日にちからの下方への領域内に、体重軸７ａでの朝体重入力欄１１ｂに入力された朝体重に該当する体重目盛の位置に朝体重マーク７ｅ1が表示され、同様に、夜体重入力欄１１ｃに入力された夜体重に該当する体重目盛の位置に夜体重マーク７ｅ2が表示される。このようにして、各日にち毎に朝体重マーク７ｅ1と夜体重マーク７ｅ2が表示され、かかる体重マーク間を直線で結ぶことにより、折線グラフの体重グラフ７ｅが表示される。また、データ入力エリア１１の歩数入力欄１１ｄに入力された歩数は、グラフ表示エリア７において、データ入力エリア１１の測定日入力欄１１ａに入力された日にちに該当する日にち軸７ｃでの日にちからの下方への領域内に、歩数軸７ｂの該当する歩数目盛の高さの棒グラフ７ｇで表わされる。
【００６４】
また、グラフ表示エリア７での日にち軸７ｃで表わされる指導支援開始日に相当する位置（ここでは、この指導支援開始日は、日にち軸７ｃでの最初の日にちよりも前としているので、グラフ表示エリア７での体重軸７ａの左側の位置）に、この指導支援開始日の、例えば、朝体重が開始体重フラグ７ｆ0で表わされている。また、この指導支援開始日から一定日数毎に（ここでは、一例として、１０日毎とする）、その日の目標体重を表わす目標体重フラグ７ｆが表示される。
【００６５】
ここで、基準データ表示エリア１６には、保健指導開始時の体重が、開始体重として、サーバ４００（図１）の参加者管理データベースＤ４（図１）から読み出されて、また、９０日間の保健指導によって達成すべき計算された体重が、目標体重として、サーバ４００での個人別減量目標データベースＤ１１（図１）から読み出されて、夫々表示されるが、グラフ表示エリア７では、その保健指導支援開始日にこの開始体重を表わす開始体重フラグ７ｆ0が表示され、保健指導支援の終了日に、この目標体重を表わす目標体重フラグ（図示せず）が表示される。また、これら開始体重と目標体重とから所定日数（ここでは、例えば、１０日）毎の目標体重が計算され、該当する日にち（ここでは、一例として、１２月５日としている）にこの目標体重を表わす目標体重フラグ７ｆが表示される。また、後述する１日当り目標減量カロリーに相当する１００ｋｃａｌカードの枚数が、１日のカード目標として表示される。例えば、１日当り目標減量カロリーが３５０ｋｃａｌの参加者の場合、１日のカード目標は３．５枚（３５０ｋｃａｌ）と表示される。
【００６６】
グラフ表示エリア７の下側のイベントチェック表示エリア８には、生活環境でのイベントについて、イベント項目８ａが縦方向に配列して表示され、グラフ表示エリア７での日にち軸７ｃで表わされる各日にち毎に、これらイベント項目８ａに対応するチェック表示欄８ｂが設けられている。イベント項目８ａとしては、ここでは、例えば、「飲み会」，「間食」，「夜食」，「出張」，「夜勤」，「運動」，「体調不良」が設定されており、該当するイベント項目８ａに該当するチェック表示欄８ｂにチェックマークが表示される。
【００６７】
イベントチェックエリア１３では、上記のイベント項目１３ｂが表示されており、これらイベント項目１３ｂ毎にチェックボックス１３ａが設けられている。データ入力エリア１１での測定日入力欄１１ａに入力した日にち（通常は現在の日にち（即ち、今日）であるが、当日入力できなかった場合には、データ入力ができなかった過去の日にちでもよい）で参加者が行なったイベントに該当するイベント項目１３ｂのチェックボックス１３ａにチェックマークを入力する。これに伴い、イベントチェック表示エリア８において、データ入力エリア１１での測定日入力欄１１ａに入力した日にちに該当する日にち軸７ｃでの日にちのイベント項目８ａのうち、イベントチェックエリア１３でチェックマークが入力されたイベント項目１３ｂに該当するイベント項目８ａのチェック表示欄８ｂにチェックマークが表示される。
【００６８】
また、サーバ４００（図１）では、減量記録データベースＤ５（図１）に、各日にち毎に、イベント情報として、各イベント項目１３ｂに対し、チェックマークの入力の有無が登録されて保存される。
【００６９】
以上のように、日にち軸７ｃでの各日にちには、カード達成率表示エリア７ｄでの日別カード達成率表示枠７ｄ1と、体重グラフ７ｅでの朝体重マーク７ｅ1，夜体重マーク７ｅ2と、歩数グラフ７ｇと、各イベント項目８ａのチェック表示欄８ｂとが対応付けられている。
【００７０】
また、グラフ表示エリア７での日にち軸７ｃの左側に「前へ」スクロールボタン７ｈ1が、右側に「後へ」スクロールボタン７ｈ2が夫々設けられており、「前へ」スクロールボタン７ｈ1が操作されると、日にち軸７ｃが右方向にスクロールし、これとともに、カード達成率表示エリア７ｄでの日別カード達成率表示枠７ｄ1の列や体重グラフ７ｅ，歩数グラフ７ｇ，各イベント項目８ａのチェック表示欄８ｂも右方向にスクロールして過去の日にちのこれら日別カード達成率表示枠７ｄ1や体重グラフ７ｅ，歩数グラフ７ｇ，チェック表示欄８ｂが現われて見ることができるようになる。また、「後ろへ」スクロールボタン７ｈ2が操作されると、日にち軸７ｃが左方向にスクロールし、これとともに、日別カード達成率表示枠７ｄ1や体重グラフ７ｅ，歩数グラフ７ｇ，チェック表示欄８ｂも左方向にスクロールして現在表示されていた日にちよりも先の日にちのこれら日別カード達成率表示枠７ｄ1や体重グラフ７ｅ，歩数グラフ７ｇ，チェック表示欄８ｂが現われて見ることができるようになる。
【００７１】
なお、「前へ」スクロールボタン７ｈ1や「後へ」スクロールボタン７ｈ2としては、操作する毎に１日ずつスクロールするスクロールボタンと、操作する毎に所定の日数（例えば、１０日）ずつスクロールするスクロールボタンとからなる。
【００７２】
１００ｋｃａｌカード表示エリア１２には、後述する目標設定画面３０（図７）で選択した１００ｋｃａｌカードの名称（以下、単にカード名という）１２ｂが記載され、各カード名毎にチェックボックス１２ａが設けられている。各１００ｋｃａｌカードは、この１００ｋｃａｌカードで指定される行為について、１００ｋｃａｌのカロリーを低減するためのその行為を指導するものであって、参加者が実行した指導行為に該当する１００ｋｃａｌカードに対するチェックボックス１２ａにチェックマークを入力する。
【００７３】
ここで、カード達成率表示エリア７ｄの日別カード達成率表示枠７ｄ1で色付けなどによって表示されるカード達成率は、１日当り目標減量カロリーに相当する１００ｋｃａｌカードの枚数を１日のカード目標枚数、チェックボックス１２ａでチェックマークが付されたカード数を実行カード数とすると、上記のことから、
実行カード数×１００／１日のカード目標枚数（％）
で表わされる。かかるカード達成率は、サーバ（図１）での参加者データ入力・閲覧処理手段Ｍ３で計算される。
【００７４】
解説表示エリア９では、体重マーク表示欄９ａと歩数表示欄９ｂと開始体重フラグ表示欄９ｃと目標体重フラグ表示欄９ｄとカード達成率表示欄９ｅとが設けられている。体重マーク表示欄９ａは、体重グラフ７ｅでの朝体重マーク７ｅ1と夜体重マークｅ2との体重マークを示すものであり、体重マーク表示欄９ａに示されるマークから体重グラフ７ｅでの朝体重マーク７ｅ1と夜体重マーク７ｅ2とが体重を表わすものであることがわかる。また、歩数表示欄９ｂは、歩数グラフ７ｇのマークを示すものであって、この歩数表示欄９ｂに示されるマークから歩数グラフ７ｇが歩数を表わしていることがわかる。開始体重フラグ表示欄９ｃは、グラフ表示エリア７で表示される開始体重フラグ７ｆ0のマークを示すものであり、目的体重フラグ表示欄９ｄは、同じく目標体重フラグ７ｆのマークを示すものである。さらに、カード達成率表示欄９ｅは、カード達成率表示エリア７ｄでの日別カード達成率表示枠７ｄ1で表示されるカード達成率を表わすものであって、例えば、０％の場合には、無色であり、１％〜３０％未満が第１の色で表示され、３０％〜８０％未満が第２の色で表示され、８０％〜１００％が第３の色で表示されることが示されている。従って、このカード達成率表示欄９ｅを参照することにより、日別カード達成率表示枠７ｄ1で表示される色から、その日のカード達成率を認識することができる。
【００７５】
参加者は、コメント入力欄１４に、キーボードの操作により、コメントを入力することができる。このコメントが入力されたときには、このコメント入力欄１４の下部に「コメントあり」表示１４ａが表示される。
【００７６】
なお、指導者メッセージ表示エリア５には、指導支援する保健師からのメッセージが表示される。かかるグラフ画面３は保健師の端末装置、即ち、指導者端末装置２００に取り込むことができる。これにより、保健師は参加者の現状の健康状態や参加者の指導項目（カードによる指導内容の実行状態やイベントなど）の実行状態を把握することができ、これに応じて、定期的に参加者にメッセージを送る。これにより、指導者メッセージ表示エリア５に保健師からのかかるメッセージが表示されることになる。
【００７７】
目標／ビジョンテキスト表示エリア１５には、後述する目標設定画面３０（図７）で参加者が、保健指導を受けるに際し、入力した目標やビジョンのテキストが表示される。
【００７８】
データ入力エリア１１でのデータ入力や１００ｋｃａｌカード表示エリア１２での該当カードでのチェック入力，イベントチェックエリア１３での該当イベントでのチェック入力，コメント入力欄１４でのコメントの入力をした後、グラフ画面３の右下隅に表示される入力ボタン１７が操作されると、これらエリア１１〜１４で入力されたデータが取り込まれてサーバ４００（図１）に転送され、減量記録データベースＤ５などに記録される。これとともに、グラフ表示エリア７において、データ入力エリア１１での測定日入力欄１１ａに入力された日にちに該当する日にち軸７ｃの日にちに対し、体重グラフ７ｅでの朝体重７ｅ1や夜体重７ｅ2、歩数グラフ７ｇが表示され、また、１００ｋｃａｌカード表示エリア１２での入力状態から、上記のように、カード達成率が計算されて、該当する日にちのカード達成率表示エリア７ｄでの値別カード達成率表示枠７ｄ1が、この計算されたカード達成率に応じた色付けで表示される。
【００７９】
また、エリア１１〜１４での入力中、あるいは入力後で入力ボタン１７の操作前に、キャンセルボタン１８が操作されると、これらエリア１１〜１４での入力されたデータがキャンセルされる。
【００８０】
このように、グラフ画面３では、データ入力エリア１１や１００ｋｃａｌカード表示エリア１２，イベントチェックエリア１３で入力した情報に応じて、期間設定／表示欄１０ａで設定された期間において、サーバ４００での減量記録データベースＤ５などのデータをもとに、これまでに得られた体重グラフ７ｅや歩数グラフ７ｇばかりでなく、カード達成率や行なったイベントも表示されることになり、保健師の健康の指導支援に対する参加者の実行状態を容易に把握することが可能となる。
【００８１】
また、入力操作を行なうデータ入力エリア１１や１００ｋｃａｌカード表示エリア１２，イベントチェックエリア１３がまとめてグラフ表示エリアやカード達成率表示エリア７ｄ，イベントチェック表示エリアとともに表示され、これら表示エリアは、データ入力エリア１１や１００ｋｃａｌカード表示エリア１２，イベントチェックエリア１３で入力操作がなされないと、必要な情報が表示されないため、かかるデータ入力エリア１１や１００ｋｃａｌカード表示エリア１２，イベントチェックエリア１３で入力操作がなされていないことが容易に認識できることになり、参加者に必要な入力操作を、欠けることなく、行なわせることができる。
【００８２】
図５に示すグラフ画面３において、上記のように、表示範囲設定／表示エリア１０での期間設定／表示欄１０ａを操作することにより、グラフ表示エリア７での表示期間を変更することができるが、いま、この期間設定／表示欄１０ａを操作すると、この期間設定／表示欄１０ａから指定可能な表示期間のリストを表わすショートカットメューが表示され、この中から所定の表示期間を選択することができる。
【００８３】
図６は表示期間を「２０日」に指定したときのグラフ画面の一具体例を示す図であって、３ａは２０日間を示すグラフ画面であり、図５に対応する部分には同一符号をつけて重複する説明を省略する。
【００８４】
同図において、グラフ画面３ａでは、そのグラフ表示エリア７が保健指導期間のうちの２０日間の期間を表わしている。従って、この場合には、日にち軸７ｃは２０日間が圧縮されて表示され、これに伴って、カード達成率表示エリア７ｄやイベントチェック表示エリア８も時間軸方向に圧縮されて表示され、体重グラフ７ｅや歩数グラフ７ｇは、図５に示すグラフ画面３と同様の日にちまでが表示される。
【００８５】
以上のこと以外については、図５に示すグラフ画面３と同様であり、表示範囲設定／表示エリア１０での期間設定／表示欄１０ａを再度操作することにより、さらに他の期間でのグラフ表示エリアを表わすグラフ画面の表示に切り替わる。
【００８６】
図５に示すグラフ画面３や図６に示すグラフ画面３ａにおいて、ボタン操作エリア４での「ログオフ」ボタン４ｄが操作されると、図４に示すログイン画面１の表示に戻る（図３のステップＳ２０３）。
【００８７】
また、図５に示すグラフ画面３や図６に示すグラフ画面３ａにおいて、ボタン操作エリア４での「参加者情報」ボタン４ａが操作されると、参加者端末装置３００では、保健指導支援のために問診形式で必要なアンケートを取るための参加者情報画面が記憶装置から読み出され、表示画面に表示される（図３のステップＳ２０４）。
【００８８】
図７はかかる参加者情報画面の一具体例を示す図であって、２０は参加者情報画面、２１は参加者情報入力欄、２１ａは電話番号入力部、２１ｂはメールアドレス入力部、２１ｃは利用者属性情報入力部、２２はアクションチェックリストエリア、２３，２４はアクションチェック欄、２３ａは「カテゴリ」欄、２３ｂは「必要量」欄、２３ｃは「チェック」欄、２４ａは「行動内容」欄、２４ｂは「行動の目標」欄、２４ｃは「目標設定」欄であり、図５に対応する部分には同一符号をつけて重複する説明を省略する。
【００８９】
同図において、参加者情報画面２０では、その上側に参加者情報入力エリア２１が設けられ、その下側にアクションチェックリストエリア２２が設けられており、さらに、この参加者情報入力エリア２１の上側にボタン操作エリア４が、参加者情報画面２０の右下隅に「決定」ボタン１７と「キャンセル」ボタン１８とが設けられている。
【００９０】
参加者情報入力エリア２１は、個人情報を入力するためのものであって、参加者の電話番号を入力するための電話番号入力部２１ａと、参加者のメールアドレスを入力するためのメールアドレス入力部２１ｂと、利用者の氏名や生年月日，性別，身長，体重，胸囲などの参加者に関する属性情報を入力するための利用者属性情報入力部２１ｃとが設けられている。保健指導を受ける場合には、利用者は、まず、この参加者情報入力エリア２１の各部２１ａ〜２１ｃでのデータの入力を行なう。
【００９１】
アクションチェック欄２３は、保健指導を受けた場合の参加者が取るべき行動（アクション）について、診察で医師から受けるアンケートと同様のチェックを受けるためのものであって、かかる行動のカテゴリ２３ａとしては、ここでは、例えば、「主食」，「果物」，「間食」，「アルコール」，「缶コーヒー・ジュース」，「調味料」，「主菜（３食分）」，「牛乳・ヨーグルト」，「運動」などとなっている。
【００９２】
かかる行動のカテゴリ２３ａ毎に、必要量２３ｂが示されている。例えば、カテゴリ「主食」については、その必要量２３ｂとして、ごはん１食当り「男性１５０〜２００ｇ，女性１５０ｇ（茶碗１杯１５０ｇ程度）」として、ごはん１食での量が示されている。ここでは、カテゴリ「果物」，「アルコール」については必要量２３ｂが示されていないが、通常、各カテゴリ２３ａでは、必要量２３ｂが示される。
【００９３】
また、行動のカテゴリ２３ａ毎に「チェック」欄２３ｃが設けられており、参加者は「○」，「×」ボタンのいずれかを選択するようにしている。即ち、各行動のカテゴリ２３ａにおいて、日常生活で該当する必要量２３ｂがほぼ守られているときには、「チェック」欄２３ｃで「○」ボタンを選択し、守られていないときには、「×」ボタンを選択する。
【００９４】
「チェック」欄２３ｃで「×」ボタンを選択された行動のカテゴリ２３ａに対しては、アクションチェック欄２４では、「行動内容」欄２４ａに要求される行動内容が表示され、「チェック」欄２３ｃで「○」ボタンを選択された行動のカテゴリ２３ａに対しては、かかる要求される行動内容は表示されない。ここで、アクションチェック欄２３での「主食」，「果物」，「間食」，「アルコール」，「缶コーヒー・ジュース」，「調味料」，「主菜（３食分）」，「牛乳・ヨーグルト」，「運動」の全てのカテゴリ２３ａで、「チェック」欄２３ｃにおいて、「×」ボタンが選択されたものとすると、アクションチェック欄２４では、これらの「行動内容」欄２４ａで要求される行動内容が表示される。例えば、「間食」のカテゴリ２３ａに対しては、アクションチェック欄２４での「行動内容」欄２４ａに、例えば、「間食（菓子パン・お菓子など）を減らす」といった要求される行動内容が表示される。
【００９５】
そして、アクションチェック欄２４では、「行動内容」欄２４ａに表示された行動内容に対して、その実行についてのできるか、できないかの目標を参加者が決めるための「行動の目標」欄２４ｂが設けられており、この目標としては、例えば、「絶対無理」，「無理」，「どちらともいえない」，「できるかも」，「できる」が設定されていて、参加者はこれらのいずれか１つを選択できる。そして、アクションチェック欄２４での「行動内容」欄２４ａで行動内容が表示された行動のカテゴリ２３ａで「行動の目標」欄２４ｂでいずれかの目標を選択し、これに該当する「目標設定」欄２４ｃを操作すると、その目標が設定されたことになる。例えば、「間食」のカテゴリ２３ａに対し、「行動の目標」欄２４ｂでの、例えば、目標「できるかも」を選択して「目標設定」欄２４ｃを操作すると、この「間食」に関し、「間食（菓子パン・お菓子など）を減らす」ことが「できるかもしれない」という目標が設定されたことになる。
【００９６】
このようにして、参加者がいずれかのカテゴリ２３ａで目標を設定し、「決定」ボタン１７を操作すると、この設定結果は、問診結果として、サーバ４００（図１）に転送され、問診結果データベースＤ７（図１）に記憶され、また、参加者情報画面２０で設定された目標に応じて１００ｋｃａｌカードを決めるための目標設定画面が表示される（図３のステップＳ２０６）。
【００９７】
なお、参加者情報画面２０において、ボタン操作エリア４での「ログオフ」ボタン４ｄが操作されると、図４に示すログイン画面１の表示に戻り（図３のステップＳ２０５）、「キャンセル」ボタン１８が操作されると、アクションチェックリストエリア２２での入力操作は全てキャンセルされ、アクションチェック欄２３，２４が上記の入力操作がなされる前の状態に戻って再度の入力操作が可能となる。
【００９８】
図８は目標設定画面の一具体例を示す図であって、３０は目標設定画面、３１は１００ｋｃａｌカード表示／選択エリア、３２はカテゴリタグ表示エリア、３３ａはカテゴリ「主食」のタブ、３３ｂはカテゴリ「果物」のタブ、３３ｃはカテゴリ「間食」のタブ、３３ｄはカテゴリ「アルコール」のタブ、３３ｅはカテゴリ「缶コーヒー・ジュース」のタブ、３３ｆはカテゴリ「調味料」のタブ、３３ｇはカテゴリ「主菜（３食分）」のタブ、３３ｈはカテゴリ「牛乳・ヨーグルト」のタブ、３３ｉはカテゴリ「運動」のタブ、３４は目標設定エリア、３４ａは目標／ビジョンテキスト入力部、３４ｂは減カロリー目標値算出部、３４ｃは１００ｋｃａｌカード設定部、３５はページ、３６はカードアイコンであり、前出図面に対応する部分には同一符号をつけて重複する説明を省略する。
【００９９】
同図において、目標設定画面３０では、その上側に１００ｋｃａｌカード表示／選択エリア３１が、下側に目標設定エリア３４が夫々設けられており、この１００ｋｃａｌカード表示／選択エリア３１の上側にボタン操作エリア４が設けられている。
【０１００】
１００ｋｃａｌカード表示／選択エリア３１の上辺には、図７に示す参加者情報画面２０のアクションチェック欄２３に設定されている行動のカテゴリ２３ａ夫々に相当するタブ、即ち、カテゴリ「主食」のタブ３３ａ，カテゴリ「果物」のタブ３３ｂ，カテゴリ「間食」のタブ３３ｃ，カテゴリ「アルコール」のタブ３３ｄ，カテゴリ「缶コーヒー・ジュース」のタブ３３ｅ，カテゴリ「調味料」のタブ３３ｆ，カテゴリ「主菜（３食分）」のタブ３３ｇ，カテゴリ「牛乳・ヨーグルト」のタブ３３ｈ，カテゴリ「運動」のタブ３３ｉ（以下では、これらカテゴリタブ３３ａ〜３３ｉを総称する場合、カテゴリのタブ３３という）が表示されるカテゴリタブ表示欄３２が設けられており、それらカテゴリのタブ３３のうちのいずれか１つを選択することにより、この選択されたカテゴリのタブ３３のページ３５が１００ｋｃａｌカード表示／選択エリア３１に展開されて、このタブのページ３５内に選択されたタブ３３に該当するカテゴリに対する１００ｋｃａｌカードのアイコン（カードアイコン）３６が活性化されて、選択操作可能に表示される。
【０１０１】
目標設定画面３０が表示され始めた初期状態では、これらカテゴリタブのいずれか、ここでは、最も左側のカテゴリのタブ３３（図示する例では、カテゴリ「主食」のタブ３３ａ）が選択されて、このページ３５にカテゴリ「主食」の１００ｋｃａｌカードのカードアイコン３６が表示された状態にあり、他のカテゴリのタブ３３を選択することにより、その該当するカテゴリ２３ａに対するカードアイコン３６が展開されたページ３６に表示される。
【０１０２】
参加者情報画面２０（図７）のアクションチェック欄２４での「目標設定」欄２４ｃで設定されたカテゴリ２３ａのカテゴリのタブ３３が活性化されており、活性化されているカテゴリのタブ３３が選択されてそのページ３５で表示されるカードアイコン３６は、選択可能に活性化されて表示されている。これに対し、参加者情報画面２０（図７）のアクションチェック欄２４での「目標設定」欄２４ｃで設定されなかったカテゴリ２３ａのカテゴリのタブ３３は不活性であり、この不活性のカテゴリのタブ３３が選択されても、そのページ３５が展開されてそのカテゴリ２３ａに該当するカードアイコン３６が表示されるが、このときのカードアイコン３６は不活性であって、選択できない状態にある。即ち、カテゴリのタブ３３が不活性であっても、これを選択することにより、該当するカードアイコン３６がそのタブのページで表示されるものであり、これにより、このカードアイコン３６は選択できないものの、参加者は、その展開されたページの内容から、このカテゴリのタブ３３には、どのような種類の１００ｋｃａｌカードがあるのかを確認することができる。
【０１０３】
ボタン操作エリア４での「参加者情報」ボタン４ａが操作されると、図７に示す参加者情報画面２０の表示状態に変更されるが、目標設定画面３０での不活性なカテゴリのタブ３３を選択してそのカードアイコン３６をタブのページ３５で表示させた結果、所望とする１００ｋｃａｌカードのカードアイコン３６が存在し、それを選択したい場合には、上記のように、「参加者情報」ボタン４ａを操作して図７に示す参加者情報画面２０の表示状態にし、アクションチェックリストエリア２２を再度操作して、上記の希望する不活性なカテゴリのタブ３３に対するカテゴリ２３ａに対する「目標設定」ボタン２４ｃを選択することにより、目標設定画面３０において、これまで不活性であったカテゴリのタブ３３を活性化させることができ、これにより、上記の所望のカテゴリ２３ａの１００ｋｃａｌカードを選択することができる。
【０１０４】
カードアイコン３３には、例えば、「ご飯２／３杯」といったような、これに該当するカテゴリ２３ａでのほぼ１００ｋｃａｌに相当する食事量や運動量が記載されている。従って、カードアイコン３３を選択すると、このカードアイコン３３に記載されている行動（食事であれば、摂取制限、運動であれば、実施）を実行することにより、１００ｋｃａｌを消耗することができ、その分体重が低減することを参加者が把握することができる。
【０１０５】
一方、図８に示す目標設定画面３０での減カロリー目標値算出部３４ｂでは、保健指導による目標体重と現在の体重とを入力することにより、次式により、即ち、
目標減量体重＝現在の体重−目標体重
目標減量カロリー＝目標減量体重×単位体重（＝１ｋｇ）に対するカロリー
１日当り目標減量カロリー＝目標減量カロリー／保健指導期間（＝９０日）
により、この保健指導期間中（ここでは、９０日間としている）での１日当りの削減すべきカロリー（減目標カロリー）が計算される。
【０１０６】
かかる１日当り目標減量カロリーを満たすように、１００ｋｃａｌカード表示／選択エリア３１において、参加者が所望とするカテゴリのタブ３３から所望の１００ｋｃａｌカードを選択する。選択された１００ｋｃａｌカードは、１００ｋｃａｌカード設定部３４ｃに表示される。この選択された１００ｋｃａｌカードの枚数も、１００ｋｃａｌカード設定部３４ｃで設定することができる。
【０１０７】
そこで、参加者としては、減カロリー目標値算出部３４ｂで計算された１日当り目標減量カロリーを満たすように、所望とするカテゴリのタブ３３から所望の１００ｋｃａｌカードを所望枚数選択する。
【０１０８】
このようにして、参加者が１００ｋｃａｌカードを取得して決定ボタン１７を操作すると、１００ｋｃａｌカードが決定されたことになり、サーバ４００（図１）にこの決定した１００ｋｃａｌカードの情報が転送され、個人別行動目標データベースＤ８（図１）に格納される。そして、図５に示すグラフ画面３の表示状態に移行する（図３のステップＳ２０７）。このグラフ画面３では、このとき、保健指導の開始日であるときには、グラフ表示エリア７で体重グラフ７ｅや歩数グラフ７ｇは表示されないが、１００ｋｃａｌカード表示エリア１２において、目標設定画面３０で選択決定された１００ｋｃａｌカードの名称が表示される。
【０１０９】
また、このグラフ画面３では、イベントチェックエリア１３に、参加者情報画面２０（図７）のアクションチェック欄２３でのカテゴリ２３ａが、イベント１３ｂとして、設定される。
【０１１０】
このようにして、このグラフ画面３や図６に示すグラフ画面３ａでは、１００ｋｃａｌカード表示エリア１２に選択決定された１００ｋｃａｌカード１２ｂが、イベントチェックエリア１３にイベント１３ｂが夫々設定され、保健指導の初日から日毎に、データ入力エリア１１や１００ｋｃａｌカード表示エリア１２，イベントチェックエリア１３での操作を行なうことにより、グラフ表示エリア７で体重グラフ７ｅや歩数グラフ７ｇが描かれていき、これとともに、カード達成率表示エリア７ｄで日別カード達成率表示枠７ｄ1が上記のカード達成率に応じた色付け表示がなされ、また、イベントチェック表示エリア８でチェックされたイベント項目８ａに対するチェック表示欄８ｂが順次表示されていく。
【０１１１】
このようにして、グラフ画面３や図６に示すグラフ画面３ａでは、体重の現状や保健指導の状況が表示されることになり、これによって、体重の現状や保健指導が適正に行なわれているか否かを把握することができる。
【０１１２】
このようなグラフ画面３やグラフ画面３ａに表示されるデータは、指導者端末装置２００（図１）でサーバ４００から取得することができ、これによって指導者も、参加者の保健指導の状況を把握することができて、上記のように、参加者端末装置３００にメッセージを送ることができる。
【０１１３】
また、保健指導の期間中においても、グラフ画面３，３ａにおいて、「参加者情報」ボタン４ａを操作することにより、図７に示す参加者情報画面２０を表示させることができ、これにより、参加者情報入力エリア２１やアクションチェックリストエリア２２の情報を変更することができるし、また、図８に示す目標設定画面３０において、目標体重を変更して、これに対応するように、選択決定する１００ｋｃａｌカードを変更させることもできる。この場合には、グラフ画面３，３ａにおいては、１００ｋｃａｌカード表示エリア１２に変更された１００ｋｃａｌカードの名称が表示され、また、変更された目標体重は、基準データ表示エリア１６に表示される。
【０１１４】
さらに、保健指導の期間中においても、グラフ画面３，３ａにおいて、「目標設定」ボタン４ｂを操作することにより、図８に示す目標設定画面３０を表示させることができ（図３でのステップＳ２０８）、これを用いて既に選択決定されている１００ｋｃａｌカードで表わされる具体的な内容を確認することができるし、選択決定した１００ｋｃａｌカードを、活性化しているカテゴリのタブ３３を変更せずに、他の１００ｋｃａｌカードに変更することもできる。
【図面の簡単な説明】
【０１１５】
【図１】本発明による保健指導支援用画面の表示方法を用いる保健指導支援システムの一実施形態を示すブロック構成図である。
【図２】図１に示す保健指導支援システムによる処理の概要を示すフローチャートである。
【図３】図１における参加者端末装置表示装置で表示される保健指導支援用画面の流れの一具体例を示すフローチャートである。
【図４】図３でのステップＳ２００で表示されるログイン画面の一具体例を示す図である。
【図５】図３でのステップＳ２０２で表示されるグラフ画面の一具体例を示す図である。
【図６】表示期間を保健指導期間「２０日」に指定したときのグラフ画面の一具体例を示す図である。
【図７】保健指導の目標を設定するための図３でのステップＳ２０４で表示される参加者情報画面の一具体例を示す図である。
【図８】保健指導の目標を達成するための図３でのステップＳ２０６，Ｓ２０８で表示される１００ｋｃａｌカードを選択する目標設定画面の一具体例を示す図である。
【符号の説明】
【０１１６】
１００  管理者端末装置
２００  指導者端末装置
３００  参加者端末装置
４００  サーバ
５００  ネットワーク
３，３ａ  グラフ画面
４  ボタン操作エリア
４ａ  「参加者情報」ボタン
４ｂ  「目標設定」ボタン
４ｃ  「ホーム」ボタン
４ｆ  「ログオフ」ボタン
５  指導者メッセージ表示エリア
６  参加者データ表示／操作エリア
７  グラフ表示エリア
７ａ  体重軸
７ｂ  歩数軸
７ｃ  日にち軸
７ｄ  カード達成率表示エリア
７ｄ1  日別カード達成率表示枠
７ｅ  体重グラフ
７ｅ1  朝体重マーク
７ｅ2  夜体重マーク
７ｆ  目標体重フラグ
７ｆ0  開始体重フラグ
７ｇ  歩数グラフ
７ｈ1  「前へ」スクロールボタン
７ｈ2  「後ろへ」スクロールボタン
８  イベントチェック表示エリア
８ａ  イベント項目
８ｂ  チェック表示欄
９  解説表示エリア
９ａ  体重マーク表示欄
９ｂ  歩数表示欄
９ｃ  開始体重フラグ表示欄
９ｄ  目標体重フラグ表示欄
９ｅ  カード達成率表示欄
１０  表示範囲設定／表示エリア
１０ａ  期間設定／表示欄
１０ｂ  単位体重設定／表示欄
１１  データ入力エリア
１１ａ  測定日入力欄
１１ｂ  朝体重入力欄
１１ｃ  夜体重入力欄
１１ｄ  歩数入力欄
１２  １００ｋｃａｌカード表示エリア
１２ａ  チェックボックス
１３  イベントチェックエリア
１３ａ  チェックボックス
１４  コメント入力欄
１４ａ  「コメントあり」表示
１５  目標／ビジョンテキスト表示エリア
１６  基準データ表示エリア
１７  入力ボタン
１８  キャンセルボタン
２０  参加者情報画面
２１  参加者情報入力欄
２１ａ  電話番号入力部
２１ｂ  メールアドレス入力部
２１ｃ  利用者属性情報入力部
２２  アクションチェックリストエリア
２３，２４  アクションチェック欄
２３ａ  「カテゴリ」欄
２３ｂ  「必要量」欄
２３ｃ  「チェック」欄
２４ａ  「行動内容」欄
２４ｂ  「行動の目標」欄
２４ｃ  「目標設定」欄
３０  目標設定画面
３１  １００ｋｃａｌカード表示／選択エリア
３２  カテゴリタブ表示エリア
３３ａ  「主食」のタブ
３３ｂ  「果物」のタブ
３３ｃ  「間食」のタブ
３３ｄ  「アルコール」のタブ
３３ｅ  「缶コーヒー・ジュース」のタブ
３３ｆ  「調味料」のタブ
３３ｇ  「主菜（３食分）」のタブ
３３ｈ  「牛乳・ヨーグルト」のタブ
３３ｉ  「運動」のタブ
３４  目標設定エリア
３４ａ  目標／ビジョンテキスト入力部
３４ｂ  減カロリー目標値算出部
３４ｃ  １００ｋｃａｌカード設定部
３５が吹き出し
３６  カードアイコン
【図１】
2010086213.tif 000003
【図２】
2010086213.tif 000004
【図３】
2010086213.tif 000005
【図４】
2010086213.tif 000006
【図７】
2010086213.tif 000007
【図８】
2010086213.tif 000008
【図５】
2010086213.tif 000009
【図６】
2010086213.tif 000010